(57)【要約】【課題】簡易な構成によって、雪面からの衝撃力を吸収できる、安価で操作性に優れた雪上滑走具を提供する。【解決手段】雪上滑走具１０において、メインフレーム４は、前ボード１から斜め後方上方に立ち上がる前方支柱４１と、前方支柱４１およびステアリング部３の間に介在して両者を連結する前方フレーム４２とを含み、前後方向に直交する横方向から見た平面内において、前方支柱４１における中心軸線と前方フレーム４２における中心軸線とが、同一直線上に存在しない。【選択図】図１
2007325703.tif 000002
【特許請求の範囲】
【請求項１】
雪上を滑走するための前ボードおよび後ボードと、ハンドル部を有するステアリング部と、上記前ボードの上面および上記後ボードの上面に下端が固定され、かつ上端に上記ステアリング部が固定されるメインフレームとを備える雪上滑走具において、
上記メインフレームは、上記前ボードから斜め後方上方に立ち上がる前方支柱と、該前方支柱および上記ステアリング部の間に介在して両者を連結する前方フレームとを含み、
前後方向に直交する横方向から見た平面内において、上記前方支柱における中心軸線と上記前方フレームにおける中心軸線とが、同一直線上に存在しないことを特徴とする雪上滑走具。
【請求項２】
上記前方フレームの上記前ボードに対する角度は、６４度から７０度の範囲で設定されると共に、上記前方支柱の上記前ボードに対する角度は、４４度から７０度の範囲で設定されることを特徴とする請求項１に記載の雪上滑走具。
【請求項３】
上記前方支柱は、弾性を有することを特徴とする請求項１または２に記載の雪上滑走具。
【請求項４】
上記メインフレームは、上記前方フレームと上記後ボードとの間に介在して両者を連結する後方フレームをさらに含み、
上記後方フレームは、湾曲部を含むと共に弾性を有することを特徴とする請求項１〜３のいずれか１に記載の雪上滑走具。
【請求項５】
雪上を滑走するための前ボードおよび後ボードと、ハンドル部を有するステアリング部と、上記前ボードの上面および上記後ボードの上面に下端が固定され、かつ上端に上記ステアリング部が固定されるメインフレームとを備える雪上滑走具において、
上記メインフレームは、上記前ボードから上記ステアリング部方向に斜め後方上方に立ち上がる前方支柱を含み、
上記前方支柱は、湾曲部を有することを特徴とする雪上滑走具。
【請求項６】
上記前方支柱は、弾性を有することを特徴とする請求項５に記載の雪上滑走具。
【請求項７】
上記メインフレームは、上記前方支柱と上記後ボードとの間に介在して両者を連結する後方フレームをさらに含み、
上記後方フレームは、湾曲部を含むと共に弾性を有することを特徴とする請求項５または６に記載の雪上滑走具。
【請求項８】
雪上を滑走するための前ボードおよび後ボードと、ハンドル部を有するステアリング部と、上記前ボードの上面および上記後ボードの上面に下端が固定され、かつ上端に上記ステアリング部が固定されるメインフレームとを備える雪上滑走具において、
上記メインフレームは、上記前ボードと上記ステアリング部の間に介在して両者を連結する前方フレームと、該前方フレームと上記後ボードとの間に介在して両者を連結する後方フレームとを含み、
上記後方フレームは、湾曲部を有することを特徴とする雪上滑走具。
【請求項９】
上記後方フレームは、弾性を有することを特徴とする請求項８に記載の雪上滑走具。
【発明の詳細な説明】
【技術分野】
【０００１】
本発明は、雪面などを滑走可能な雪上滑走具に関するものであって、特に、雪上滑走具に設けられるフレームに関するものである。
【背景技術】
【０００２】
近年、雪上でのスポーツまたはレジャー用具として、雪上自転車と呼ばれる滑走具が注目されている。この雪上滑走具は、概略的には、前後に配置された２枚のボード、および、該ボードとハンドル部とを連結するフレームにより構成されている。プレーヤは、前方を向いてフレームに跨りボード上に立った状態で乗り、ハンドル部で進行方向を制御しながらゲレンデ等の雪斜面を滑走することができる。
【０００３】
プレーヤは、このような雪上滑走具でゲレンデを滑走する際、ゲレンデのギャップによってジャンプすることがある。さらには、プレーヤはトリッキーな滑りを楽しんだり、競技を行う際に意図的にジャンプしたりすることもある。この場合、従来の雪上滑走具は直線的なシンプルな構造であり、タイヤやサスペンションに相当する衝撃を吸収する機能がないため、着地時の衝撃がプレーヤの手首や足に直接作用することになる。図１３（ａ）は従来の雪上滑走具の概略構成を示す側面図であり、図１３（ｂ）は該雪上滑走具の正面図であり、図１３（ｃ）は該雪上滑走具の平面図である。図１３に示すように、従来の雪上滑走具１００には、雪面からの衝撃を吸収できる部材がなく、また、メインフレーム１４０が前ボード１１０および後ボード１２０に直線的に連結されているため、雪面からメインフレーム１４０に伝達された衝撃力（図１３（ａ）中の矢印方向）が、プレーヤに直接伝わる。そのため、操作性および安全性に劣り、プレーヤは、安定した滑走ができない。
【０００４】
そこで、雪面からの衝撃力を吸収して、プレーヤに伝わる力を軽減できる雪上滑走具が特許文献１に開示されている。図１４は、特許文献１の雪上滑走具２００の概略構成を示す斜視図である。雪上滑走具２００には、フロントボード２０１とハンドル部２０２とを連結するフレーム２０３にショックアブゾーバ２０４が設けられている。これにより、雪面から伝わる衝撃力を吸収することができるため、プレーヤは安定した滑走が可能となる。
【特許文献１】特開２００５−３４６２１号公報（２００５年２月１０日公開）
【発明の開示】
【発明が解決しようとする課題】
【０００５】
しかしながら、上記従来の構成では、衝撃吸収装置が別途必要となるため、雪上滑走具の構造が複雑になり、重量が重くなるという問題点がある。また、衝撃吸収装置を備えていない雪上滑走具と比較してコストが高くなるという問題点もある。
【０００６】
レジャー用具としては、手軽に持ち運びできること、および安価であることは重要な要素であるため、構造はシンプルであることが望ましい。そのため、上記の問題点は、雪上滑走装置が冬のレジャー、競技として普及する際の１つの障害になっている。
【０００７】
本発明は、上記の問題点に鑑みてなされたものであり、その目的は、簡易な構成によって、雪面からの衝撃力を吸収できる、安価で操作性に優れた雪上滑走具を提供することである。
【課題を解決するための手段】
【０００８】
本発明の雪上滑走具は、上記課題を解決するために、雪上を滑走するための前ボードおよび後ボードと、ハンドル部を有するステアリング部と、上記前ボードの上面および上記後ボードの上面に下端が固定され、かつ上端に上記ステアリング部が固定されるメインフレームとを備える雪上滑走具において、上記メインフレームは、上記前ボードから斜め後方上方に立ち上がる前方支柱と、該前方支柱および上記ステアリング部の間に介在して両者を連結する前方フレームとを含み、前後方向に直交する横方向から見た平面内において、上記前方支柱における中心軸線と上記前方フレームにおける中心軸線とが、同一直線上に存在しないことを特徴としている。
【０００９】
上記の構成によれば、前後方向に直交する横方向から見た平面内において、上記前ボードから斜め後方上方に立ち上がる上記前方支柱における中心軸線と、該前方支柱および上記ステアリング部の間に介在して両者を連結する上記前方フレームにおける中心軸線とが、同一直線上に存在しない。すなわち、前方支柱と前方フレームとは、前後方向に直交する横方向から見た平面内において、それぞれの中心軸がずれている、いわゆるオフセット構造となっている。
【００１０】
この点、従来の雪上滑走具では、前方支柱の中心軸線と前方フレームの中心軸線とが同一直線上に位置する構成である。そのため、前方支柱が前ボードを介して雪面から受ける衝撃力は、軽減されることなく、そのままステアリング部に伝達される。これにより、ハンドル部を握るプレーヤの手首には、前ボードから前方支柱に伝達された力がそのまま加わることになる。したがって、操作性および安全性に劣り、プレーヤは、安定した滑走ができない。
【００１１】
また、衝撃を吸収する装置を別途備える雪上滑走具では、雪面からの衝撃力を吸収することはできるが、構造が複雑化し、重量の増大およびコスト高という問題が生じる。
【００１２】
これに対して、本発明の雪上滑走具では、上記のとおり、オフセット構造を有しているため、前方支柱が前ボードを介して雪面から受ける衝撃力の一部は、前方支柱の中心軸の延長線方向に逃げることになる。そのため、前方フレームには、上記衝撃力が軽減された力が伝達される。したがって、従来の雪上滑走具と比較して、プレーヤの手首に加わる力を軽減することができる。これにより、雪上滑走具の操作性および滑走安定性を向上させることができる。
【００１３】
また、前方支柱の中心軸と前方フレームの中心軸とをずらすという簡易な構成であるため、衝撃吸収機能を備える雪上滑走具を安価に提供することが可能となる。
【００１４】
また、本発明の雪上滑走具は、上記記載の雪上滑走具において、上記前方フレームの上記前ボードに対する角度は、６４度から７０度の範囲で設定されると共に、上記前方支柱の上記前ボードに対する角度は、４４度から７０度の範囲で設定されることが好ましい。
【００１５】
これにより、雪上滑走具におけるプレーヤの居住性を確保できると共に、前方支柱および前方フレームをオフセット構造として、雪面からプレーヤに伝達される衝撃力を軽減することができる。そのため、雪上滑走具の操作性および滑走安定性をさらに向上させることができる。
【００１６】
また、本発明の雪上滑走具は、上記記載の雪上滑走具において、上記前方支柱は、弾性を有することことが好ましい。
【００１７】
上記の構成によれば、上記前方支柱は、弾性を有しているため、雪面から前ボードを介して伝達される衝撃力によって、上記前方支柱は弾性変形することになる。そのため、上記衝撃力は、弾性変形により吸収されるため、ステアリング部に伝達される衝撃力をさらに軽減することができる。したがって、プレーヤの手首に加わる力をさらに軽減することができる。これにより、雪上滑走具の操作性および滑走安定性をさらに向上させることができる。
【００１８】
また、本発明の雪上滑走具は、上記記載の雪上滑走具において、上記メインフレームは、上記前方フレームと上記後ボードとの間に介在して両者を連結する後方フレームをさらに含み、上記後方フレームは、湾曲部を含むと共に弾性を有することが好ましい。
【００１９】
上記の構成によれば、上記後方フレームは、湾曲部を含むと共に弾性を有している。これにより、雪面から前ボードおよび後ボードを介して後方フレームに伝達される衝撃力によって、後方フレームは上記湾曲部において撓みが生じることになる。そのため、後方フレームに伝達される衝撃力は、上記湾曲部における弾性変形により吸収される。したがって、ステアリング部に伝達される衝撃力をさらに軽減することができるため、プレーヤの手首に加わる力をさらに軽減することができる。これにより、雪上滑走具の操作性および滑走安定性をさらに向上させることができる。
【００２０】
本発明の雪上滑走具は、上記課題を解決するために、雪上を滑走するための前ボードおよび後ボードと、ハンドル部を有するステアリング部と、上記前ボードの上面および上記後ボードの上面に下端が固定され、かつ上端に上記ステアリング部が固定されるメインフレームとを備える雪上滑走具において、上記メインフレームは、上記前ボードから上記ステアリング部方向に斜め後方上方に立ち上がる前方支柱を含み、上記前方支柱は、湾曲部を有することを特徴としている。
【００２１】
上記の構成によれば、上記前ボードから上記ステアリング部方向に斜め後方上方に立ち上がる前方支柱は、湾曲部を有している。
【００２２】
ここで、従来の雪上滑走具では、前後方向に直交する横方向から見た平面内において、前方支柱の中心軸線と前方フレームの中心軸線とが同一直線上に位置する構成である。そのため、前方支柱が前ボードを介して雪面から受ける衝撃力は、軽減されることなく、そのままステアリング部に伝達される。これにより、ハンドル部を握るプレーヤの手首には、前ボードから前方支柱に伝達された力がそのまま加わることになる。したがって、操作性および安全性に劣り、プレーヤは、安定した滑走ができない。
【００２３】
また、衝撃を吸収する装置を別途備える雪上滑走具では、雪面からの衝撃力を吸収することはできるが、構造が複雑化し、重量の増大およびコスト高という問題が生じる。
【００２４】
これに対して、本発明の雪上滑走具では、上記の通り、前方支柱が湾曲部を有しているため、前方支柱が前ボードを介して雪面から受ける衝撃力の一部は、前方支柱の湾曲部で分散されることになる。そのため、前方フレームには、上記衝撃力が軽減された力が伝達される。したがって、従来の雪上滑走具と比較して、プレーヤの手首に加わる力を軽減することができる。これにより、雪上滑走具の操作性および滑走安定性を向上させることができる。
【００２５】
また、前方支柱に湾曲部を設けるという簡易な構成であるため、衝撃吸収機能を備える雪上滑走具を安価に提供することが可能となる。
【００２６】
また、本発明の雪上滑走具は、上記記載の雪上滑走具において、上記前方支柱は、弾性を有することが好ましい。
【００２７】
上記の構成によれば、上記前方支柱は、弾性を有しているため、雪面から前ボードを介して伝達される衝撃力によって、上記前方支柱は上記湾曲部において弾性変形することになる。そのため、上記衝撃力は、上記弾性変形により吸収されるため、ステアリング部に伝達される衝撃力をさらに軽減することができる。したがって、プレーヤの手首に加わる力をさらに軽減することができる。これにより、雪上滑走具の操作性および滑走安定性をさらに向上させることができる。
【００２８】
また、本発明の雪上滑走具は、上記記載の雪上滑走具において、上記メインフレームは、上記前方支柱と上記後ボードとの間に介在して両者を連結する後方フレームをさらに含み、上記後方フレームは、湾曲部を含むと共に弾性を有することが好ましい。
【００２９】
上記の構成によれば、上記後方フレームは、湾曲部を含むと共に弾性を有している。これにより、雪面から前ボードおよび後ボードを介して後方フレームに伝達される衝撃力によって、後方フレームは上記湾曲部において撓みが生じることになる。そのため、後方フレームに伝達される衝撃力は、上記湾曲部おける弾性変形により吸収される。したがって、ステアリング部に伝達される衝撃力をさらに軽減することができるため、プレーヤの手首に加わる力をさらに軽減することができる。これにより、雪上滑走具の操作性および滑走安定性をさらに向上させることができる。
【００３０】
本発明の雪上滑走具は、上記課題を解決するために、雪上を滑走するための前ボードおよび後ボードと、ハンドル部を有するステアリング部と、上記前ボードの上面および上記後ボードの上面に下端が固定され、かつ上端に上記ステアリング部が固定されるメインフレームとを備える雪上滑走具において、上記メインフレームは、上記前ボードと上記ステアリング部の間に介在して両者を連結する前方フレームと、該前方フレームと上記後ボードとの間に介在して両者を連結する後方フレームとを含み、上記後方フレームは、湾曲部を有することを特徴としている。
【００３１】
上記の構成によれば、上記前ボードと上記ステアリング部の間に介在して両者を連結する前方フレームと、該前方フレームと上記後ボードとの間に介在して両者を連結する後方フレームは、湾曲部を有している。
【００３２】
ここで、従来の雪上滑走具では、後方フレームが直線形状であるため、雪面から前ボードおよび後ボードを介して後方フレームに伝達される衝撃力は、軽減されることなく、そのままステアリング部に伝達される。そのため、ハンドル部を握るプレーヤの手首には、後ボードから後方フレームに伝達された力がそのまま加わることになる。したがって、操作性および安全性に劣り、プレーヤは、安定した滑走ができない。
【００３３】
また、衝撃を吸収する装置を別途備える雪上滑走具では、雪面からの衝撃力を吸収することはできるが、構造が複雑化し、重量の増大およびコスト高という問題が生じる。
【００３４】
これに対して、本発明の雪上滑走具では、上記の通り、後方フレームが湾曲部を有しているため、後方フレームが雪面から受ける衝撃力の一部は、後方フレームの湾曲部で分散されることになる。そのため、後方フレームには、上記衝撃力が軽減された力が伝達される。したがって、従来の雪上滑走具と比較して、プレーヤの手首に加わる力を軽減することができる。これにより、雪上滑走具の操作性および滑走安定性を向上させることができる。
【００３５】
また、後方フレームに湾曲部を設けるという簡易な構成であるため、衝撃吸収機能を備える雪上滑走具を安価に提供することが可能となる。
【００３６】
また、本発明の雪上滑走具は、上記記載の雪上滑走具において、上記後方フレームは、弾性を有することが好ましい。
【００３７】
上記の構成によれば、上記後方フレームは、弾性を有しているため、雪面から伝達される衝撃力によって、上記後方フレームは上記湾曲部において弾性変形することになる。そのため、上記衝撃力は、上記弾性変形により吸収されるため、ステアリング部に伝達される衝撃力をさらに軽減することができる。したがって、プレーヤの手首に加わる力をさらに軽減することができる。これにより、雪上滑走具の操作性および滑走安定性をさらに向上させることができる。
【発明の効果】
【００３８】
本発明の雪上滑走具は、以上のように、前後方向に直交する横方向から見た平面内において、上記前方支柱における中心軸線と上記前方フレームにおける中心軸線とが、同一直線上に存在しない構成である。
【００３９】
また、本発明の雪上滑走具は、以上のように、上記前方支柱が湾曲部を有する構成である。
【００４０】
さらに、本発明の雪上滑走具は、以上のように、上記後方フレームが湾曲部を有する構成である。
【００４１】
これにより、簡易な構成によって、雪面からの衝撃力を吸収することができる。したがって、安価で操作性に優れた雪上滑走具を提供することができるという効果を奏する。
【発明を実施するための最良の形態】
【００４２】
〔実施の形態１〕
本発明の実施の形態１について、図１から図６を用いて説明すると以下のとおりである。なお、本実施の形態および後述する各実施の形態で用いる図面においては、雪上滑走具における滑走方向側を前方とし、滑走方向に平行する方向をＸ方向、雪面に対して直交する方向をＺ方向、Ｘ−Ｚ平面に直交する方向をＹ方向（横方向）と仮定する。また、本実施の形態において定義する用語については、特に断らない限り、後述する他の実施の形態においてもその定義に則って用いるものとする。
【００４３】
図１（ａ）は本発明の実施の形態１における雪上滑走具の概略構成を示す側面図であり、図１（ｂ）は該雪上滑走具の正面図であり、図１（ｃ）は該雪上滑走具の平面図である。
【００４４】
本実施の形態における雪上滑走具１０は、概略的には、雪上滑走面を形成する前ボード１および後ボード２と、プレーヤの操縦により前ボード１を回転させるためのステアリング部３と、上記前ボード１および後ボード２と上記ステアリング部３とを連結するメインフレーム４とを備えている。
【００４５】
ここで、雪上滑走具１０を構成する上記各部材について以下に説明する。
【００４６】
前ボード１および後ボード２は、その前後端部が上方（Ｚ方向）に湾曲し、その中央部のみが雪面と接する構造となっている。また、前ボード１および後ボード２の下面側縁部は、程度に差はあれ氷雪上になっている滑走面に対する摩擦や、特に旋回滑走の場合における静止摩擦から保護するため、および旋回中にいわゆるエッジをよく効かせる状態とするため、鋭い金属レール、いわゆるエッジ材料で補強することが好ましい。なお、前ボード１および後ボード２は、木材、金属、ファイバーグラスやカーボンファイバーなどを合成樹脂で積層した、従来のスノーボード構成材料で構成されている。
【００４７】
ステアリング部３は、ハンドル部３１と、前ボード１に向かって下方に延びるハンドル軸（図示せず）とにより構成されており、自転車のハンドルと同等の機能を有するものである。そのため、プレーヤは、ハンドル部３１を操縦することにより、前ボード１の方向を変えることができる構成となっている。
【００４８】
メインフレーム４は、前ボード１から立ち上がる前方支柱４１と、前方支柱４１およびステアリング部３の間に介在して両者を連結する前方フレーム４２と、前方フレーム４２の下端から後ボード２に向かって二股状に延びると共に、該後ボード２の側縁に沿って後方に延びて該後ボード２上にネジ等により固定されるフレーム延長部４３と、上記前方フレーム４２の上端から後ボード２に向かって延びる後方フレーム４４とを備えている。上記前方フレーム４２、フレーム延長部４３および後方フレーム４４は、溶接またはネジ等により一体型に形成されている。なお、プレーヤによるステアリング部３の操作により前ボード１を回転自在とするために、ステアリング部３のハンドル軸が、パイプ状の前方フレーム４２内部を貫通して、前方支柱４１に連結されている。
【００４９】
次に、メインフレーム４を構成する上記各部材について詳細に説明する。
【００５０】
前方支柱４１は、プレーヤの身長等を考慮して所定長さ斜め後方上方に延びており、その下端において、前ボード１に固定されるアンダープレート５に溶接またはネジ等で固定されている。なお、アンダープレート５は、前ボード１との間の距離を保持するブロック６を介して、前ボード１上面の平面領域にネジ等により固定される。前方支柱４１の形状は、図１（ｂ）および（ｃ）に示すように、フォーク状であって、ステアリング部３のハンドル軸に連結される連結部からアンダープレート５に向かって二股状に延びている。なお、前方支柱４１は、軽量化を考慮すると、その内部が中空のパイプ状であることが好ましい。また、前方支柱４１の上部は、前方フレーム４２の内部を貫通し、前方フレーム４２の上下端において、ボールベアリング等を介して、ステアリング部３のハンドル軸に連結されている。これにより、前ボード１は、プレーヤの操作によるハンドル部３１の回転動作に伴って回動自在となっている。なお、前方支柱４１の詳細な形状については後述する。
【００５１】
前方フレーム４２は、上述のように、中空のパイプ状であり、その内部においてステアリング部３のハンドル軸と前方支柱４１とが回転自在に連結されている。そして、ステアリング部３と前ボード１との回転を自在とするために、ステアリング部３および前方支柱４１と、前方フレーム４２との間には、前方フレーム４２における上端および下端において、それぞれボールベアリング等が介在している。
【００５２】
後方フレーム４４は、プレーヤの両脚で挟まれ、旋回時に、旋回の内側のエッジに体重を掛けやすくし、旋回を容易にする機能を有している。
【００５３】
フレーム延長部４３は、上記後ボード２の側縁に沿って後方に延び、後ボード２との間の距離を保持するブロック６を介して、後ボード２上面の平面領域にネジ等により固定されている。また、フレーム延長部４３には、プレーヤが足を乗せる足支持板７が配置されている。この足支持板７は、本体が剛性の矩形金属板で構成されており、その両側部のほぼ全長で上記フレーム延長部４３の側部に溶接またはネジ等により固定されていることが好ましい。また、この足支持板７は、その両側前方部および後方部の少なくとも４ヶ所で後ボード２にネジ等で固定され、後ボード２に一体にされていることが好ましい。上記フレーム延長部４３と足支持板７とは予め固定しておき、これを後ボード２にネジ等で固定することが好ましい。なお、上記足支持板７は、その足乗せ表面である上面にゴム等が敷設され滑り防止が施されていることが望ましい。また、上記足支持板７２８あるいはフレーム延長部４３の前方部分には、両足を横方向に揃えて緩やかに保持する、サンダルのベルト状の足保持ストラップ８が取り付けられている。
【００５４】
以上説明した雪上滑走具１０において、プレーヤは、両足を揃えた状態で上記足支持板７に乗り、ハンドル部３１を操作して雪上を滑走する。これにより、プレーヤは、前向きの姿勢で進行方向に体を向けて滑走することができるようになり、また、ハンドル部３１を握って操作することにより、上半身のバランスを容易に確保すると共に旋回動作が容易となる。
【００５５】
ここで、前方支柱４１の形状について図２を用いて以下に説明する。図２（ａ）は、従来の雪上滑走具１００における前方支柱および前方フレームの概略構成を示す側面図であり、図２（ｂ）は本実施の形態における雪上滑走具１０の前方支柱４１および前方フレーム４２の概略構成を示す側面図である。
【００５６】
従来の雪上滑走具１００は、図２（ａ）および図１３（ａ）に示すように、雪上滑走具１００を側面（Ｙ方向）から見たＸ−Ｚ平面において、前方支柱１４１の中心軸線と前方フレーム１４２の中心軸線とが同一直線上に位置する構成であるため、前方支柱１４１が前ボード１１０を介して雪面から受ける衝撃力（図中の斜め後方矢印方向）は、軽減されることなく、そのままステアリング部１３０に伝達される。そのため、ハンドル部１３１を握るプレーヤの手首には、前ボード１１０から前方支柱１４１に伝達された力がそのまま加わることになる。したがって、操作性および安全性に劣り、プレーヤは、安定した滑走ができない。
【００５７】
また、図１４に示す従来の雪上滑走具２００では、ショックアブゾーバ２０４が設けられているため、上記雪面からの衝撃力を吸収することができる。しかしながら、雪上滑走具に衝撃吸収装置を別途備える必要があるため構造が複雑化し、重量増およびコスト高という問題点がある。
【００５８】
これに対して、本実施の形態における雪上滑走具１０では、図２（ｂ）に示すように、Ｙ方向から見たＸ−Ｚ平面において、前方支柱４１を前方フレーム４２からオフセットさせた構成（オフセット構造）、つまり、前方支柱４１の中心軸線と前方フレーム４２の中心軸線とが同一直線上に存在しない構成である。そのため、前方支柱４１が前ボード１を介して雪面から受ける衝撃力の一部は、前方支柱４１の中心軸の延長線方向に逃げることになる。そのため、前方フレーム４２には、上記衝撃力が軽減された力が伝達される。したがって、従来の雪上滑走具と比較して、プレーヤの手首に加わる力を軽減することができる。これにより、操作性および滑走安定性を向上させることができる。
【００５９】
このように、本実施の形態における雪上滑走具１０によれば、メインフレーム４の一部（前方フレーム４２）の形状を従来のメインフレームとは異なる形状とすることにより、上記の効果を奏することができる。したがって、簡易な構成によって、コストを低減すると共に、雪面からの衝撃力を吸収できる、操作性に優れた雪上滑走具を提供することができる。
【００６０】
ここで、Ｙ方向から見たＸ−Ｚ平面において、前方支柱４１および前方フレーム４２の取り付け角度について、図３〜図５を用いて具体的に説明する。雪上滑走具は、一般的に、メインフレーム４の前ボード１に対する角度が異なる３つのタイプがある。図３は、前方フレーム４２の前ボード１に対する角度が６４度に設定されている場合（タイプＡ）の前方支柱４１の前ボード１に対する取り付け角度の適用範囲を示す側面図であり、図４は、前方フレーム４２の前ボード１に対する角度が６７．５度に設定されている場合（タイプＢ）の前方支柱４１の前ボード１に対する取り付け角度の適用範囲を示す側面図であり、図５は、前方フレーム４２の前ボード１に対する角度が７０度に設定されている場合（タイプＣ）の前方支柱４１の前ボード１に対する取り付け角度の適用範囲を示す側面図である。
【００６１】
上記前方フレーム４２の前ボード１に対する角度は、雪上滑走具１０の操作性を左右するものである。具体的には、上記角度が６４度より小さい場合や、７０度より大きい場合には、挙動性が不安定となり操作性が悪くなる。そのため、上記角度は、６４度から７０度の範囲に設定されていることが好ましい。
【００６２】
そして、前方支柱４１の前ボード１に対する取り付け角度は、前方フレーム４２の前ボード１に対する角度およびアンダープレート５におけるＸ方向の平面領域に応じて決定される。具体的には、前方支柱４１のアンダープレート５への取り付け位置は、図３〜図５に示すアンダープレート５上において、前方フレーム４２の中心軸の延長線上となるＤ点から、アンダープレート５の前端位置であるＥ点の範囲で設定可能である。
【００６３】
したがって、例えば、図３に示すタイプＡの場合には、前方支柱４１の前ボード１に対する取り付け角度は、４４度（Ｅ点）から６４度（Ｄ点）の範囲で設定可能となる。また、図４に示すタイプＢの場合には、４７度（Ｅ点）から６７．５度（Ｄ点）の範囲で設定可能となる。さらに、図５に示すタイプＣの場合には、４８．５度（Ｅ点）から７０度（Ｄ点）の範囲で設定可能となる。
【００６４】
以上より、前方フレーム４２の前ボード１に対する角度は、６４度から７０度の範囲で設定されると共に、前方支柱４１の前ボード１に対する角度は、４４度から７０度の範囲で設定されることが好ましい。さらに、前方フレーム４２の前ボード１に対する角度は、６７．５度に設定されると共に、前方支柱４１の前ボード１に対する角度は、４７度に設定されることがより好ましい。これにより、雪面からの衝撃力を最小限に抑えることができるため操作性がより安定する。
【００６５】
また、本実施の形態における雪上滑走具１０では、前方支柱４１の形状は、二股状（フォーク状）としているがこれに限定されるものではなく、Ｙ方向におけるアンダープレート５上の中心位置に固定するように、Ｙ−Ｚ平面において一直線状となる形状であってもよい。
【００６６】
ここで、本実施形態における前方支柱４１は、弾性を有するものであることが好ましい。前方支柱４１に使用される材料としては、例えば、スチール、アルミ、チタン、カーボン等が挙げられる。これにより、雪面から衝撃力を受けたとき、前方支柱４１は、加わる力の方向に変形することになる。そのため、前方支柱４１が、いわゆるサスペンションとしての役目を果たし、前方支柱４１から前方フレーム４２に伝達される力をさらに軽減することができる。したがって、プレーヤの手首に加わる力をさらに軽減することができるため、操作性および滑走安定性をさらに向上させることができる。
【００６７】
また、本実施の形態における雪上滑走具１０は、雪上滑走具１０を側面（Ｙ方向）から見たＸ−Ｚ平面において、前方支柱４１の中心軸線と前方フレーム４２の中心軸線とが同一直線上に存在しない構成であるが、これに限定されるものではなく、例えば、図６に示すように、前方支柱４１に湾曲部４１ａを設けた構成としてもよい。
【００６８】
上記の構成においても、上記オフセット構造と同様の原理により、前方支柱４１が前ボード１を介して雪面から受ける衝撃力の一部は、前方フレーム４２には伝達されない。したがって、従来の雪上滑走具と比較して、プレーヤの手首に加わる力を軽減することができる。また、上述の弾性を有する材料を図６に示す前方支柱４１に用いることにより、雪面から衝撃力を受けたとき、湾曲部４１ａを支点として変形することになる。そのため、前方支柱４１から前方フレーム４２に伝達される力をさらに軽減することができるため、プレーヤの手首に加わる力をさらに軽減することができる。したがって、上述した図２（ｂ）に示す構成と同様、雪上滑走具１０の操作性および滑走安定性をさらに向上させることができる。
【００６９】
なお、上記のように、前方支柱４１に上記湾曲部４１ａを設ける構成とした場合は、前方支柱４１と前方フレーム４２とを一体の構造としてもよい。すなわち、前ボード１とステアリング部３との間に一体型のフレームを介在させ、その両端部において前ボード１とステアリング部３をそれぞれ固定し、該フレームの任意の位置に湾曲部を設ける構成としてもよい。この場合には、ステアリング部３および前ボードの回転自在性を確保するため、上記一体型のフレームにおけるフレーム延長部４３および後方フレーム４４の連結部にヒンジを設けることが好ましい。
【００７０】
〔実施の形態２〕
本発明の実施の形態２について図７〜図１０に基づいて説明すれば、以下のとおりである。なお、説明の便宜上、上記実施の形態１において示した部材と同一の機能を有する部材には、同一の符号を付し、その説明を省略する。
【００７１】
図７は、本実施の形態２における雪上滑走具の概略構成を示す側面図である。本実施の形態における雪上滑走具２０は、同図に示すように、メインフレーム４の後方フレーム４４が、湾曲部４４ａを有することを特徴としている。なお、後方フレーム４４は、弾性を有することが好ましい。
【００７２】
後方フレーム４４は、実施の形態１において説明したように、上記前方フレーム４２の上端から後ボード２に向かって延びており、後方フレーム４４の後ボード２側の端部は、フレーム延長部４３に溶接またはネジ等により固定されている。
【００７３】
また、後方フレーム４４は、湾曲部４４ａにおいて弾性変形することが好ましいため、例えば、スチール、アルミ、チタン、カーボン等の材料によりパイプ状に成型されている。なお、後方フレーム４４において湾曲部４４ａにのみ弾性を有する材料を使用してもよい。また、湾曲部４４ａは、後方フレーム４４において少なくとも１箇所設けられていれば良く、２箇所以上であってもよい。
【００７４】
ここで、本発明において適用可能な後方フレーム４４の形状について図８〜図１０を用いて説明する。図８（ａ）は後方フレーム４４に斜め下方向の湾曲部４４ａを設けた場合のメインフレーム４の側面図であり、図８（ｂ）は該メインフレーム４の正面図であり、図８（ｃ）は該メインフレーム４の平面図である。
【００７５】
従来の雪上滑走具１００は、図１３に示すように、後方フレーム１４４が直線形状であるため、後方フレーム１４４が後ボード１２０を介して雪面から受ける衝撃力（図中の斜め前方矢印方向）は、軽減されることなく、そのままステアリング部１３０に伝達される。そのため、ハンドル部１３１を握るプレーヤの手首には、後ボード１２０から後方フレーム１４４に伝達された力がそのまま加わることになる。したがって、操作性および安全性に劣り、プレーヤは、安定した滑走ができない。
【００７６】
これに対して、本実施の形態における雪上滑走具２０では、図８（ａ）に示すように、後方フレーム４４が下方向に湾曲しているため、雪面から前ボードおよび後ボード２に垂直方向（Ｚ方向）の力が加わった場合、後方フレーム４４は湾曲部４４ａにおいて下方向（図中矢印方向）に撓むことになる。そのため、後方フレーム４４に伝達される衝撃力は、後方フレーム４４における弾性変形により吸収される。したがって、ステアリング部３には、上記衝撃力が軽減された力が伝達されるため、従来の雪上滑走具と比較して、プレーヤの手首に加わる力を軽減することができる。これにより、雪上滑走具の操作性および滑走安定性を向上させることができる。
【００７７】
また、図９（ａ）は後方フレーム４４に斜め上方向の湾曲部４４ａを設けた場合のメインフレーム４の側面図であり、図９（ｂ）は該メインフレーム４の正面図であり、図９（ｃ）は該メインフレーム４の平面図である。同図に示す構成とした場合でも、図中矢印方向への後方フレーム４４の弾性変形を利用して、雪面からの衝撃力を軽減することができるため、上述した効果と同様の効果を奏することができる。
【００７８】
また、図１０に示すように、後方フレーム４４は、前方フレーム４２から二股状に延びると共に、それぞれの後方フレーム４４が外側に向かって湾曲している構成であってもよい。図１０（ａ）は二股状の後方フレーム４４に湾曲部４４ａを設けた場合のメインフレーム４の側面図であり、図１０（ｂ）は該メインフレーム４の正面図であり、図１０（ｃ）は該メインフレーム４の平面図である。
【００７９】
図１０に示す構成とした場合でも、雪面からの衝撃力が後ボード２を介して後方フレーム４４に伝達された場合、二股状の後方フレーム４４は、それぞれ外側（図中矢印方向）に向かって弾性変形することができるため、雪面からの衝撃力を軽減することができる。したがって、この場合にも、上述した効果と同様の効果を奏することができる。
【００８０】
なお、後方フレーム４４は、湾曲部４４ａの替わりに、上記実施の形態１で説明したオフセット構造を有していてもよい。
【００８１】
〔実施の形態３〕
本発明の実施の形態３について図１１および図１２に基づいて説明すれば、以下のとおりである。なお、説明の便宜上、上記実施の形態１において示した部材と同一の機能を有する部材には、同一の符号を付し、その説明を省略する。
【００８２】
図１１は、本実施の形態３における雪上滑走具の概略構成を示す側面図である。本実施の形態における雪上滑走具３０は、同図に示すように、上記実施の形態１および２の特徴点を備えた構成である。具体的には、雪上滑走具３０は、Ｙ方向から見たＸ−Ｚ平面において、前方支柱４１の中心軸線と前方フレーム４２の中心軸線とが同一直線上に存在しない構成であると共に、メインフレーム４の後方フレーム４４に湾曲部４４ａを設けた構成である。なお、前方支柱４１および後方フレーム４４は、ともに弾性を有するものであることが好ましい。また、上記前方支柱４１は、上記オフセット構造の替わりに湾曲部４１ａを有していてもよい。
【００８３】
上記の構成によれば、上記実施の形態１および２で説明したように、前方支柱４１および後方フレーム４４のそれぞれにおいて、雪面から受ける衝撃力を吸収することができる。そのため、プレーヤに伝わる力をさらに軽減させることができる。
【００８４】
ここで、雪面を滑走中に雪上滑走具３０が雪面から衝撃力を受けたときの、雪上滑走具３０の変形の原理について説明する。図１２は、雪上滑走具３０により雪面を滑走している際に、雪面から雪上滑走具３０に衝撃力が加わったときの該雪上滑走具３０の変形の様子を示す側面図である。なお、雪上滑走具３０の変形後の状態が、図中の点線で示されている。
【００８５】
通常、雪面を滑走している際には、図中の白矢印で示すように、前ボード１が雪面の凸部に衝突し力を受ける。そして、雪面からの力が前ボード１を介して前方支柱４１に伝達される。前方支柱４１は、該前方支柱４１の中心軸線方向（斜め後方上方）の力を受けると共に、雪面に垂直する方向（Ｚ方向）の力を受ける。そのため、前方支柱４１は、Ｚ方向に弾性変形し、前ボード１の前端が持ち上がる。このとき、前方フレーム４２の上端には、斜め後方下方（図中の黒矢印）への力が加わる。そして、後方フレーム４４は、湾曲部４４ａを有する弾性体であるため、斜め前方下方（図中の黒矢印）に弾性変形する。
【００８６】
以上の一連の動作により、プレーヤに伝わる雪面からの衝撃力を軽減することが可能となる。
【００８７】
以上に説明したように、上記各実施形態における雪上滑走具は、前方支柱４１および／または後方フレーム４４の機能により、雪のゲレンデ斜面のギャップを滑走したり、ジャンプの着地時の衝撃などを吸収・緩和することができるため、初心者が安心して乗ることができるだけでなく、熟練したプレーヤが、競技等でより高速に安定して滑走することができる。そして、このような操作性、安全性に優れた雪上滑走具を安価に製造することが可能となる。
【００８８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００８９】
本発明は、簡易な構成により雪面からの衝撃力を吸収できる構成であるため、例えば、スノーバイク等に適用することができる。
【図面の簡単な説明】
【００９０】
【図１】（ａ）は本発明の実施の形態１における雪上滑走具の概略構成を示す側面図であり、（ｂ）は該雪上滑走具の正面図であり、（ｃ）は該雪上滑走具の平面図である。
【図２】（ａ）は、従来の雪上滑走具における前方支柱および前方フレームの概略構成を示す側面図であり、（ｂ）は実施の形態１における雪上滑走具の前方支柱および前方フレームの概略構成を示す側面図である。
【図３】実施の形態１における、前方フレームの前ボードに対する角度が６４度に設定されている場合（タイプＡ）の前方支柱の前ボードに対する取り付け角度の適用範囲を示す側面図である。
【図４】実施の形態１における、前方フレームの前ボードに対する角度が６７．５度に設定されている場合（タイプＢ）の前方支柱の前ボードに対する取り付け角度の適用範囲を示す側面図である。
【図５】実施の形態１における、前方フレームの前ボードに対する角度が７０度に設定されている場合（タイプＣ）の前方支柱の前ボードに対する取り付け角度の適用範囲を示す側面図である。
【図６】実施の形態１における雪上滑走具の前方支柱に湾曲部を設けた場合の前方支柱および前方フレームの概略構成を示す側面図である。
【図７】実施の形態２における雪上滑走具の概略構成を示す側面図である。
【図８】（ａ）は実施の形態２における雪上滑走具の後方フレームに斜め下方向の湾曲部を設けた場合のメインフレームの側面図であり、（ｂ）は該メインフレームの正面図であり、（ｃ）は該メインフレームの平面図である。
【図９】（ａ）は実施の形態２における雪上滑走具の後方フレームに斜め上方向の湾曲部を設けた場合のメインフレームの側面図であり、（ｂ）は該メインフレームの正面図であり、（ｃ）は該メインフレームの平面図である。
【図１０】（ａ）は実施の形態２における雪上滑走具の二股状の後方フレームに湾曲部を設けた場合のメインフレームの側面図であり、（ｂ）は該メインフレームの正面図であり、（ｃ）は該メインフレームの平面図である。
【図１１】実施の形態３における雪上滑走具の概略構成を示す側面図である。
【図１２】実施の形態３における雪上滑走具により雪面を滑走している際に、雪面から衝撃力が加わったときの該雪上滑走具の変形の様子を示す側面図である。
【図１３】（ａ）は従来の雪上滑走具の概略構成を示す側面図であり、（ｂ）は該雪上滑走具の正面図であり、（ｃ）は該雪上滑走具の平面図である。
【図１４】従来の雪上滑走具の概略構成を示す斜視図である。
【符号の説明】
【００９１】
１    前ボード
２    後ボード
３    ステアリング部
３１    ハンドル部
４    メインフレーム
４１    前方支柱
４１ａ  湾曲部
４２    前方フレーム
４４    後方フレーム
４４ａ  湾曲部
１０，２０，３０    雪上滑走具
【図１】
2007325703.tif 000003
【図２】
2007325703.tif 000004
【図３】
2007325703.tif 000005
【図４】
2007325703.tif 000006
【図５】
2007325703.tif 000007
【図６】
2007325703.tif 000008
【図７】
2007325703.tif 000009
【図８】
2007325703.tif 000010
【図９】
2007325703.tif 000011
【図１０】
2007325703.tif 000012
【図１１】
2007325703.tif 000013
【図１２】
2007325703.tif 000014
【図１３】
2007325703.tif 000015
【図１４】
2007325703.tif 000016